(57)【特許請求の範囲】
【請求項１】
ブラウン管のヒーター等が接続されたフライバックトランスの出力側で短絡が生じたとき、このフライバックトランスを含む被保護回路へ電圧を供給する電源回路の給電動作を停止させる信号を発する保護回路を備えた受像機の短絡保護装置であって、
前記フライバックトランスの第１の出力端子に前記ヒーターが接続されるとともに、前記保護回路の一端が接続され、この保護回路の他端に接続された動作検知ポートと、前記フライバックトランスの第２の出力端子に接続された入力ポートと、前記電源回路に接続された出力ポートとを有し、前記フライバックトランスが回路基板の所定位置に未搭載のために、前記入力ポート側に所定レベルの電圧が印加されないときには、前記動作検知ポートが何れの状態であっても、前記出力ポート側から前記電源回路の給電動作を停止させる信号を送出せず、一方、前記フライバックトランスが前記回路基板に搭載され、前記入力ポートに前記フライバックトランスの出力電圧が供給されたときには、前記動作検知ポートの状態に従って、記出力ポート側から前記電源回路の給電動作を停止させる信号を送出する制御手段を設けたことを特徴とする受像機の短絡保護装置。
【請求項２】
フライバックトランスを含む被保護回路側で短絡が生じたとき、この被保護回路へ電圧を供給する電源回路の給電動作を停止させる信号を発する保護回路を備えた受像機の短絡保護装置であって、
前記保護回路に動作検知ポートが、前記フライバックトランスの出力端子に入力ポートが、前記電源回路に出力ポートがそれぞれ接続され、前記入力ポート側に所定レベルの電圧が印加されないときには、前記動作検知ポートが何れの状態であっても、前記出力ポート側から前記電源回路の給電動作を停止させる信号を送出せず、一方、前記入力ポートに前記フライバックトランスの出力電圧が供給されたときには、前記動作検知ポートの状態に従って、記出力ポート側から前記電源回路の給電動作を停止させる信号を送出する制御手段を設けたことを特徴とする受像機の短絡保護装置。
【請求項３】
前記フライバックトランスが、出力電圧の異なる第１および第２の出力端子を備え、前記第１の出力端子側にブラウン管のヒーターと前記保護回路の一端とが接続されるとともに、この保護回路の他端に前記動作検知ポートが接続され、前記第２の出力端子側には前記入力ポートが接続されてなることを特徴とする請求項２に記載の受像機の短絡保護装置。
【発明の詳細な説明】
【０００１】
【発明の属する技術分野】
本発明は、テレビジョン受像機等のフライバックトランスに接続されたブラウン管側ヒーターの短絡異常時に電源回路の給電動作を停止させる受像機の短絡保護装置に関する。
【０００２】
【従来の技術】
受像機は、高電圧かつ高電流の供給を受けるブラウン管側の回路部で短絡を生じたとき、火災や感電といった危険が惹起されることから、通常、このような異常時に電源回路の給電動作を停止させる保護装置を備えている。
例えば、テレビジョン受像機において、水平偏向電流が流れる水平偏向回路の断線や部品のオープン時に、フライバックパルスの振幅を検出して電源を切る等の処置を行う保護回路が知られている（特開平９−３０７７７９号公報参照）。
また、フライバックトランスから発生する高電圧および水平周波数信号に基づいて、判別回路がこのフライバックトランスの異常を検出し、遮断回路がフライバックトランスの駆動を阻止することにより、フライバックトランス側で異常電圧が発生するのを防ぐフライバックトランスフォーマの異常動作感知回路も知られている（特開平１０−９２６７７号公報参照）。
【０００３】
さらに、テレビジョン受像機の電源回路または高圧回路・偏向回路等の被保護回路の実働時間の累積が、１０００時間や２０００時間といった予め設定された時間になったとき、動作点検装置が自動的に出力を発生して保護回路を動作させるとともに、表示装置によって保護回路の動作結果を表示する保護回路の動作確認作装置が提案されている（特開平６−２０５４４９号公報参照）。
【０００４】
ところで、これら公報記載の受像機を含む図２に示すような従来のテレビジョン受像機は、コンパクト化の要請があり、フライバックトランスＴ、電源回路３、保護回路１および制御部５といった主要部を１枚のプリント基板に実装するのが一般的になっている。
同図において、Ｑは水平出力トランジスタ、Ｄ１はダンパーダイオード、Ｃ１は共振コンデンサ、ＬＨは水平偏向コイルである。
Ｔはフライバックトランスであり、１次巻線側の入力端子Ｔ１に前記水平偏向コイルＬＨが接続されている。また、１８０Ｖの高電圧を出力する２次巻線側の第１出力端子（高圧巻線）Ｔ２に、ブラウン管２のアノードが、第２出力端子（ヒーター巻線）Ｔ３に、ブラウン管２のヒーターＨがそれぞれ接続されている。
【０００５】
さらに、第１出力端子Ｔ２に、保護回路１を構成するダイオードＤ２、コンデンサＣ２、レジスタＲ１が接続されている。
そして、このレジスタＲ１に一端がアースに接続されたレジスタＲ２が接続されている。このレジスタＲ２は、ブラウン管２のヒーターＨ側の短絡時に第２出力端子Ｔ３の出力電流をアース側に導くもので、ダイオードＤ３を介して制御部５に接続されている。
この制御部５は、マイコンＩＣであって、充電式電池の電圧供給を受けるようになっている。また、複数のポートを備えており、動作検知ポート５ａに前記ダイオードＤ３のアノードが、出力ポート５ｃに電源回路３の信号入力端子が接続されている。
また、この制御部５には、図示省略したキー操作部が接続されており、このキー操作部からの操作信号および保護回路１の動作状態に従って電源回路３の給電動作を制御する。
本例では、前記動作検知ポート５ａを通常の使用状態でＨレベルとしており、この動作検知ポート５ａのレベルを制御部５自体が常時チェックし、その変化に応じた動作制御を行う構成になっている。
【０００６】
次に、この受像機の短絡保護装置の動作について説明する。
水平出力トランジスタＱがオン動作すると、電源＋Ｂより水平偏向コイルＬＨとフライバックトランスＴの１次巻線を介して水平出力トランジスタＱにコレクタ電流が流れる。
水平偏向コイルＬＨに流れる電流は、水平偏向電流となり、ブラウン管２に水平偏向磁界が発生する。
一方、水平出力トランジスタＱがオフ動作すると、水平偏向コイルＬＨとフライバックトランスＴの１次巻線に蓄えられていたエネルギーが共振コンデンサＣ１を通して放出され、このときに水平出力トランジスタＱのコレクタ側にフライバックパルスが発生する。
【０００７】
このフライバックパルスが、フライバックトランスＴで昇圧されると、２次巻線側の第１出力端子Ｔ２から出力される高電圧がブラウン管２のアノード側に供給される。また、第２出力端子Ｔ３より出力される電圧がブラウン管２のヒーターＨ側に供給される。
この第２出力端子Ｔ３の出力電圧は、保護回路１にも送出されるため、ダイオードＤ２、コンデンサＣ２により整流された後、レジスタＲ１，Ｒ２側に供給される。これにより、レジスタＲ１の抵抗で低下した電圧（５Ｖ）がダイオードＤ３側に印加される。
なお、制御部５は、キー操作部の電源用キーがオン操作されたとき、電源回路３にオン指令信号を送出して各負荷回路に所定電圧を供給させた後、動作検知ポート５ａがＨレベルかＬレベルかをチェックしている。
この際、第２出力端子Ｔ３の出力電圧が、保護回路１側に送出されている状態では、ダイオードＤ３のカソード側に電圧が印加されているので、動作検知ポート５ａがＨレベルになっている。
【０００８】
このような使用状態で、何らかの理由によりブラウン管２のヒーターＨを含む負荷回路側が短絡すると、保護回路１に送出されている電流がレジスタＲ２を介してアース側に流れる。
すると、ダイオードＤ３には電圧が印加されなくなるので、このカソード側がＬレベルになる。これに伴い、通常はＨレベルにある制御部５の動作検知ポート５ａがＬレベルになる。
制御部５は、動作検知ポート５ａがＨレベルからＬレベルに変化すると、短絡による異常発生と判断し、直ちに給電停止信号を電源回路３に送出する。
これにより、電源回路３が給電動作を停止するため、負荷側への電圧供給が停止される。よって、フライバックトランスＴの１次側に異常な高電圧が発生しないから、回路素子の焼損が防止される。
【０００９】
【発明が解決しようとする課題】
ところで、上記従来の受像機は、使用時に前述のような短絡が発生すると、火災等の危険を惹起するおそれがあるため、工場出荷前に前述の短絡状態と同様の試験が行われるが、この短絡試験では面倒な作業を伴っていた。
すなわち、図２に示した保護装置の短絡試験では、テレビジョン受像機の使用時と同じ条件下で行う必要がある。
この場合は、電源回路３の給電動作を開始させ、フライバックトランスＴからブラウン管２側に電圧を供給しておく。
そして、ヒーターＨ側を短絡させると、保護回路１のレジスタＲ１を介してアース側に電流が流れることにより、前述の如く制御部１０が電源回路３の給電動作を直ぐに停止させるので、他の回路に所定電圧を供給できないという不都合が生じる。
【００１０】
そこで、短絡試験時に制御部１０の動作検知ポート５ａがＬレベルとならないよう、作業員が試験前に保護回路１のレジスタＲ１とダイオードＤ３との接続線を切断しておいたり、レジスタＲ２を外すといった事前の作業を行っていた。
しかし、この短絡試験が終了すると、切断箇所を再び接続し直すかレジスタＲ２を再度実装しなければならないため、甚だ手数がかかり、生産効率が低下するという不具合があった。
また、前記受像機を工場生産ラインで短絡試験するとき、フライバックトランスＴをプリント基板に搭載した状態で行うと、ブラウン管２のアノードに電圧を供給する第１出力端子Ｔ２側には１８０Ｖの高電圧が現れるので、作業員が感電の危険に晒されるという問題も残されていた。
【００１１】
本発明は、上記課題に鑑みて創案されたもので、フライバックトランスを搭載しない状態で保護回路の短絡試験を可能とし、生産効率を向上させることができる受像機の短絡保護装置を提供することを目的としている。
【００１２】
【課題を解決するための手段】
上記目的を達成するため、本発明のうち請求項１に記載の発明は、ブラウン管のヒーター等が接続されたフライバックトランスの出力側で短絡が生じたとき、このフライバックトランスを含む被保護回路へ電圧を供給する電源回路の給電動作を停止させる信号を発する保護回路を備えた受像機の短絡保護装置であって、前記フライバックトランスの第１の出力端子に前記ヒーターが接続されるとともに、前記保護回路の一端が接続され、この保護回路の他端に接続された動作検知ポートと、前記フライバックトランスの第２の出力端子に接続された入力ポートと、前記電源回路に接続された出力ポートとを有し、前記フライバックトランスが回路基板の所定位置に未搭載のために、前記入力ポート側に所定レベルの電圧が印加されないときには、前記動作検知ポートが何れの状態であっても、前記出力ポート側から前記電源回路の給電動作を停止させる信号を送出せず、一方、前記フライバックトランスが前記回路基板に搭載され、前記入力ポートに前記フライバックトランスの出力電圧が供給されたときには、前記動作検知ポートの状態に従って、記出力ポート側から前記電源回路の給電動作を停止させる信号を送出する制御手段を設けたことを特徴としている。
【００１３】
また、請求項２に記載の発明は、フライバックトランスを含む被保護回路側で短絡が生じたとき、この被保護回路へ電圧を供給する電源回路の給電動作を停止させる信号を発する保護回路を備えた受像機の短絡保護装置であって、前記保護回路に動作検知ポートが、前記フライバックトランスの出力端子に入力ポートが、前記電源回路に出力ポートがそれぞれ接続され、前記入力ポート側に所定レベルの電圧が印加されないときには、前記動作検知ポートが何れの状態であっても、前記出力ポート側から前記電源回路の給電動作を停止させる信号を送出せず、一方、前記入力ポートに前記フライバックトランスの出力電圧が供給されたときには、前記動作検知ポートの状態に従って、記出力ポート側から前記電源回路の給電動作を停止させる信号を送出する制御手段を設けたことを特徴としている。
また、請求項３に記載の発明は、前記フライバックトランスが、出力電圧の異なる第１および第２の出力端子を備え、前記第１の出力端子側にブラウン管のヒーターと前記保護回路の一端とが接続されるとともに、この保護回路の他端に前記動作検知ポートが接続され、前記第２の出力端子側には前記入力ポートが接続されてなることを特徴としている。
【００１４】
【発明の実施の形態】
以下、本発明の実施の形態について、図示例を参照しながら説明する。
図１は、本発明の実施の形態に係る受像機の短絡保護装置を設けたテレビジョン受像機を示す電気回路図である。
この受像機の短絡保護装置は、普及型のテレビジョン受像機に適用されたもので、基本的構成が図２に示す従来例と略同一であり、同一部分には同一符号を付して説明する。
【００１５】
この短絡保護装置は、保護回路１等を実装したプリント基板に分圧用のレジスタＲ３，Ｒ４を付加したもので、図１に示すフライバックトランスＴの第１出力端子Ｔ２側に前記レジスタＲ３の一端を接続している。
そして、このレジスタＲ３の他端には、一端がアースに接続されたレジスタＲ４の他端を接続し、さらに制御部４の入力ポート４ｂ側と接続している。
この入力ポート４ｂは、図２に示した制御部５の動作検知ポート５ａおよび出力ポート５ｃと同じ動作検知ポート４ａや出力ポート４ｃを備えた制御部４の入力検知用端子であり、第１出力端子Ｔ２側から１８０Ｖが出力され、レジスタＲ３，Ｒ４で分圧されると、５Ｖの低電圧が入力するようになっている。
【００１６】
制御部４は、マイコンＩＣであって、キー操作部からの操作信号および保護回路１の信号により電源回路３の給電動作を制御する。また、テレビジョン受像機の製作時に行う短絡試験において、フライバックトランスＴが受像機のプリント基板の所定位置に搭載された通常の使用可能状態で電源回路３の給電動作を制御する構成になっている。
本例では、前記動作検知ポート４ａを通常の使用状態でＨレベルとしており、この動作検知ポート４ａおよび入力ポート４ｂのレベルを制御部４自体の内部ロジックで常時チェックし、その変化に応じた動作制御を行う。
【００１７】
次に、この受像機の短絡保護装置の動作について説明する。
但し、この受像機の短絡保護装置は、図２に示した回路と略同一であり、短絡動作も同じであるため、その詳細な説明を省略し工場出荷前に行う短絡試験時の動作について説明するものとする。
この短絡試験においては、受像機の生産工程でフライバックトランスＴを１枚のプリント基板に搭載していない段階で行う。従って、フライバックトランスＴの各巻線が、プリント基板上の入力端子Ｔ１、第１出力端子Ｔ２および第２出力端子Ｔ３に接続されていない状態である。
このときは、これら第１出力端子Ｔ２および第２出力端子Ｔ３から電圧が出力されないため、制御部４の入力ポート４ｂがＬレベルであり、保護回路１は無電圧となっている。
【００１８】
制御部４は、入力ポート４ｂがＬレベルのときに、動作検知ポート４ａをＨレベルにして、出力ポート４ｃから給電開始信号を電源回路３に送出する。
これにより、電源回路３から各負荷回路側への給電が開始され、使用時に等しい状態となる。
また、動作検知ポート４ａがＨレベルになったときは、このポート４ａに信号電圧（５Ｖ）が現れるので、ダイオードＤ３を介し保護回路１側に供給される。
このため、受像機製作工場の生産ライン状における保護回路１の短絡試験が可能となる。
【００１９】
この短絡試験においては、前述の如くブラウン管２のヒーターＨ側を短絡させる。すると、動作検知ポート４ａから保護回路１側に送出されている電流がレジスタＲ２を介してアース側に流れる。
制御部４は、内部ロジックで動作検知ポート４ａを常時チェックしているので、ダイオードＤ３のアノード側である動作検知ポート４ａがＨレベルからＬレベルに変化すると、短絡による異常発生と判断し、直ちに給電停止信号を電源回路３に送出する。
これにより、電源回路３が給電動作を停止するため、負荷側への電圧供給が停止される。よって、フライバックトランスＴを１枚のプリント基板に搭載していなくとも、テレビジョン受像機の使用状態と同じ条件下での短絡試験で負荷側への電圧供給を遮断することができる。
【００２０】
なお、この試験終了後は、プリント基板上の入力端子Ｔ１、第１出力端子Ｔ２および第２出力端子Ｔ３に、フライバックトランスＴの各巻線を接続する。
そして、このテレビジョン受像機が製作された後、使用を開始するときは、フライバックトランスＴの第１出力端子Ｔ２および第２出力端子Ｔ３からそれぞれ所定電圧が出力される。
第１出力端子Ｔ２の出力電圧は、ブラウン管２のアノード側に供給されるとともに、レジスタＲ３，Ｒ４側に送出される。そして、このレジスタＲ３，Ｒ４により高電圧が分圧されると、５Ｖの低電圧が入力ポート４ｂに印加される。
一方、第２出力端子Ｔ３の出力電圧は、ブラウン管２のヒーターＨ側に供給されるとともに、保護回路１側へ送出される。すると、ダイオードＤ３側に５Ｖの低電圧が印加されるため、動作検知ポート４ａがＨレベルになる。
【００２１】
制御部４は、各ポートをチェックしており、入力ポート４ｂに電圧が現れ、動作検知ポート４ａがＨレベルになると、使用開始と判断し出力ポート４ｃから給電開始信号を電源回路３に送出する。
これにより、電源回路３から各負荷回路側への給電が開始され、使用開始状態となる。
【００２２】
この使用時、ブラウン管２のヒーターＨ側が短絡すると、動作検知ポート４ａから保護回路１側に送出されている電流がレジスタＲ２を介してアース側に流れる。
制御部４は、ダイオードＤ３側である動作検知ポート４ａがＨレベルからＬレベルに変化すると、短絡による異常発生と判断し、直ちに給電停止信号を電源回路３に送出する。
これにより、電源回路３が給電動作を停止するため、負荷側への電圧供給が停止される。よって、フライバックトランスＴが異常高電圧を発生しないから、回路素子等の焼損が防止される。
【００２３】
【発明の効果】
以上説明したように、本発明のうち請求項１に記載の発明は、フライバックトランスを搭載しない状態で保護回路の短絡試験が可能となるから、従来のように試験前に回路素子の一部を取り外しておき、試験後に再び実装するといった煩瑣な作業が不要となり、生産効率が向上するとともに、生産ラインでの危険な作業を回避ことができるといった効果がある。
また、請求項２に記載の発明は、フライバックトランスを搭載しない状態で保護回路の短絡試験が可能となるから、従来のように試験前に回路素子の一部を取り外しておき、試験後に再び実装するといった煩瑣な作業が不要となり、生産効率が向上する効果がある。
また、請求項３に記載の発明は、保護回路の短絡試験時にフライバックトランスを外しておき、試験終了後に受像機の回路基板に搭載することにより、フライバックトランスを簡単に着脱することができるので、生産ラインでの危険な作業を回避ことができる利点がある。
【図面の簡単な説明】
【図１】本発明の実施の形態に係る受像機の短絡保護装置を設けたテレビジョン受像機を示す電気回路図である。
【図２】従来の受像機の短絡保護装置を設けたテレビジョン受像機を示す電気回路図である。
【符号の説明】
３  電源回路
４  制御手段
４ａ  動作検知ポート
４ｂ  入力ポート
４ｃ  出力ポート
Ｔ  フライバックトランス
【図１】
0003622908.tif 000002
【図２】
0003622908.tif 000003